(57)【特許請求の範囲】
【請求項１】
展開可能な鞄地と、
上記鞄地の外縁に沿って紐渡し区間を隔ててそれぞれ設けられた３以上の紐通し穴と、
上記紐通し穴に挿通された開閉紐と、
互いに異なる上記紐渡し区間において上記開閉紐に係合され、上記紐通し穴を通過できない形状からなる２個の提げ具と、
上記提げ具とは異なる上記紐渡し区間において、上記開閉紐に対しスライド可能に取り付けられ、上記開閉紐上の任意の２点を連結させる開閉具とを備えたことを特徴とするバッグ。
【請求項２】
上記紐通し穴及び上記開閉具をさらに備え、
上記開閉具は、互いに異なる上記紐渡し区間において上記開閉紐に取り付けられ、
２個の上記開閉具及び２個の上記提げ具が、上記鞄地の外縁に沿って交互に配置されていることを特徴とする請求項１に記載のバッグ。
【発明の詳細な説明】
【技術分野】
【０００１】
本発明は、バッグに係り、さらに詳しくは、バッグを開閉するための開閉紐を備えたバッグに関する。
【背景技術】
【０００２】
バッグを開閉するための開閉紐を備えたバッグが知られている。例えば、開閉紐が、バッグ開口部の外周付近に取り付けられた紐通し具に通され、この開閉紐を結んで提げ紐とするバッグや（例えば、特許文献１）、紐通し具間の開閉紐をそのまま提げ紐とするバッグが知られている（例えば、特許文献２）。
【０００３】
特許文献１では、開閉紐を結んで提げ紐とするバッグにおいて、開閉紐を結ぶ位置を変えることによって提げ紐の長さを調節している。このようなバッグでは、バッグの開閉時や提げ紐の調節時に紐を結び直す必要があり、煩雑であるという問題がある。
【０００４】
特許文献２では、紐通し具間の開閉紐をそのまま提げ紐とするバッグの開閉紐を何箇所持つのかによって提げ紐の長さを調節している。具体的には、８角形の布地の各頂点付近に配置されている紐通し具の中を吊り下げ用の環状の紐が通され、８角形の布地の各辺付近の紐を何箇所持つのかによって、提げ紐となる紐の長さを調節している。このようなバッグでは、調節後の提げ紐の長さのバリエーションが限られており、細かな長さ調節ができないという問題がある。また、対向している部分の開閉紐を対として持つことができなかった場合、手提げ状態においてバッグが傾いてしまうという問題がある。
【先行技術文献】
【特許文献】
【０００５】
【特許文献１】特開２０１０−１４９９３７号公報
【特許文献２】特開２００９−１３１３４８号公報
【発明の概要】
【発明が解決しようとする課題】
【０００６】
本発明は、提げ紐の長さが調節可能であるバッグを提供することを目的とする。特に、バッグの開閉を行うことによって提げ紐の長さが調節可能であるバッグを提供することを目的とする。さらに、バッグの開閉を行うことによって提げ紐の長さを調節する際の煩雑さを低減させたバッグを提供することを目的とする。
【０００７】
また、本発明は、提げ紐の長さを細かく調節することができるバッグを提供することを目的とする。特に、バッグの開閉を行うことによって提げ紐の長さを細かく調節することができるバッグを提供することを目的とする。
【０００８】
また、本発明は、持ち運び時のバランスが良いバッグを提供することを目的とする。さらに、開口部の大きさにかかわらず荷物を収容することができるバッグを提供することを目的とする。
【課題を解決するための手段】
【０００９】
第１の本発明によるバッグは、展開可能な鞄地と、上記鞄地の外縁に沿って紐渡し区間を隔ててそれぞれ設けられた３以上の紐通し穴と、上記紐通し穴に挿通された開閉紐と、互いに異なる上記紐渡し区間において上記開閉紐に係合され、上記紐通し穴を通過できない形状からなる２個の提げ具と、上記提げ具とは異なる上記紐渡し区間において、上記開閉紐に対しスライド可能に取り付けられ、上記開閉紐上の任意の２点を連結させる開閉具とを備えて構成される。
【００１０】
この様な構成により、紐通し穴に開閉紐が挿通され、この開閉紐上の任意の２点を連結させる開閉具が、開閉紐に対しスライド可能に取り付けられており、この開閉具を内向きにスライドさせることによってバッグを閉じることができる。このようなバッグにおいて、開閉具の位置を調節することによって、提げ具が設けられている紐渡し区間における開閉紐の長さ、つまり、提げ紐の長さを調節することができる。
【００１１】
また、紐通し穴を通過できない形状からなる２個の提げ具が、互いに異なる紐渡し区間において開閉紐に係合されるとともに、開閉具が提げ具とは異なる紐渡し区間に配置されている。このため、提げ具の移動範囲が紐通し穴により挟まれた紐通し区間に制限され、提げ具の位置が大きくずれるのを防止している。
【００１２】
また、鞄地が展開可能であるため、開口部が広く、大きな荷物でも容易に収容することができる。また、開いた状態のバッグを敷物として用いることもできる。
【００１３】
第２の本発明によるバッグは、上記構成に加え、上記紐通し穴及び上記開閉具をさらに備え、上記開閉具が、互いに異なる上記紐渡し区間において上記開閉紐に取り付けられ、２個の上記開閉具及び２個の上記提げ具が、上記鞄地の外縁に沿って交互に配置されて構成される。
【００１４】
この様な構成により、２個の開閉具及び２個の提げ具が、鞄地の外縁に沿って交互に配置され、各提げ具の両側には開閉具が配置されている。このため、両方の開閉具をスライドさせれば、２個の開閉具からそれぞれ引き出される開閉紐の長さを略同一にすることができる。従って、１個の開閉具のみを備えているバッグに比べ、閉じた状態で開閉具から引き出されている開閉紐の長さを短くすることができる。
【発明の効果】
【００１５】
本発明によるバッグは、紐通し穴に開閉紐が挿通され、この開閉紐上の任意の２点を連結させる開閉具が、開閉紐に対しスライド可能に取り付けられているため、この開閉具を内向きにスライドさせることによってバッグを閉じることができる。このようなバッグにおいて、上記開閉具の位置を調節することによって提げ紐の長さを調節することができる。従って、従来技術のように紐を結ぶ煩雑さがなく、また、提げ部の長さを細かく調節することができる。
【００１６】
また、紐通し穴を通過できない形状からなる２個の提げ具が、互いに異なる紐渡し区間において開閉紐に係合されている。このため、これらの提げ具の間、及び、提げ具と開閉具との間には紐通し穴がそれぞれ介在しており、これらの紐通し穴によって、提げ具の位置が大きくずれるのを防止している。特に、２個の提げ具の位置が互いに大きくずれることに起因して、持ち運び時にバッグのバランスがとり難くなるのを防止している。
【００１７】
また、鞄地が展開可能であるため、開口部の狭さに起因して荷物が収容できないということがなく、また、例えば、開いた状態のバッグを敷物として用いることもできる。
【図面の簡単な説明】
【００１８】
【図１】本発明の実施の形態１によるバッグ１００が開いている状態の一例を示した外観図である。
【図２】図１のバッグ１００が閉じている状態の一例を示した平面図である。
【図３】図１のバッグ１００が閉じている状態の一例を示した側面図である。
【図４】本発明の実施の形態２によるバッグ１０１が開いている状態の一例を示した外観図である。
【図５】図４のバッグ１０１が閉じている状態の一例を示した外観図である。
【発明を実施するための形態】
【００１９】
実施の形態１．
図１〜図３は、本発明の実施の形態１によるバッグ１００の一例を示した図である。図１は、バッグ１００が開いている状態を示した図であり、鞄地１を展開させ、バッグ１００の全体が略平面状になっている状態が示されている。図２及び図３は、バッグ１００を閉じた状態を示した平面図及び側面図であり、開閉紐３を用いて鞄地１を立体的に変形させた状態が示されている。
【００２０】
バッグ１００は、鞄地１、開閉紐３、開閉具５、２個の提げ具４及び１２個の紐通し具２を備えている。１２個の紐通し具２は、鞄地１の外縁に沿って、互いに紐渡し区間を隔てて設けられている。これらの紐通し具２には、１本の通し紐からなる開閉紐３が順に挿通され、開閉紐３上の任意の２点を連結させる開閉具５が、この開閉紐３に対しスライド可能に取り付けられている。
【００２１】
このため、開いたバッグ１００に対して、開閉具５から外側に延びている開閉紐３を持ちながら、この開閉具５を鞄地１に向かう方向へスライドさせることにより、この開閉具５と隣接している紐通し具２が内側に押し込まれて鞄地１の外縁が絞られ、バッグ１００を閉じることができる。このようなバッグ１００において、開閉具５の位置を調節することによって、提げ具４が設けられている紐渡し区間の開閉紐３の長さ、つまり、提げ紐の長さを調節することができる。
【００２２】
鞄地１は、バッグ１００の底面部及び側面部を形成するシート材である。鞄地１は、開閉紐３を用いて外縁を絞ることにより立体的形状となる一方、開閉紐３を緩めて外縁を開放すれば、略平面となるように展開させることができる。このため、開口部が広く、大きな荷物でも容易に収容することができる。
【００２３】
鞄地１は、提げ具４に対応しない紐渡し区間において、提げ具４に対応する紐渡し区間よりも、折れ曲がり易くなっていることが望ましい。ここでは、提げ具４が設けられていない紐渡し区間の鞄地１には折り癖が施されているのに対し、提げ具４が設けられている紐渡し区間の鞄地１には折り癖が施されていない。このため、バッグ１００を閉じた状態において、提げ具４に対応していない紐渡し区間の鞄地１が曲がっているのに対し、提げ具４に対応する紐渡し区間の鞄地１は略曲がっていない。なお、提げ具４に対応していない紐渡し区間の鞄地１には、提げ具４に対応する紐渡し区間の鞄地１よりも折れ曲がり易い素材を用いることもできる。また、提げ具４に対応する紐渡し区間の鞄地１のみに型紙やワイヤーを埋め込んでいても良い。
【００２４】
鞄地１の展開状態における形状は任意であり、円形、楕円形、多角形などを採用することができる。また、鞄地１の素材には、例えば、布、革又は合成樹脂を採用することができ、表地及び裏地が異なる素材からなるものであってもよい。例えば、裏地に肌触りの良い素材を用いる一方、表地に防水性のある素材を用いれば、開いた状態のバッグ１００を敷物として用いるのに適している。
【００２５】
紐通し具２は、開閉紐３と係合させるための係合手段であり、開閉紐３を挿通するための紐通し穴２１を備え、長手方向に移動可能となるように開閉紐３を保持している。ここでは、紐通し具２が、細長い基材の両端を鞄地１の外縁周辺に固定具２２を用いて固着することにより形成されるループ形状からなり、このループ形状の内側に開閉紐３を挿通させるための紐通し穴２１が形成されている。なお、紐通し穴２１は、鞄地１の外縁付近に形成された孔であっても良い。
【００２６】
開閉紐３は、鞄地１の外縁に沿って設けられた全ての紐通し具２に順に挿通されており、バッグ１００の開閉に用いられる。この開閉紐３は、鞄地１の外周よりも長く、開閉紐３を緩めれば、略平面となるまで鞄地１を展開させ、バッグ１００を開くことができる。また、開閉紐３を絞り、鞄地１の外縁に沿っている開閉紐３の長さを短くすれば、バッグ１００を閉じることができる。つまり、鞄地１の外縁に沿っている開閉紐３の長さは、開口部が開いている状態に比べて、開口部が閉じている状態のほうが短くなっている。
【００２７】
なお、バッグ１００の持ち運び時には、開閉具５が開閉紐３に対しスライドしないことが望ましい。そこで、開閉紐３は、開閉具５に対し適度な摩擦が生じる素材及び形状からなり、例えば、表面が凹凸の形状からなる。
【００２８】
提げ具４は、手提げ用のハンドル又は肩かけ用の肩当てであり、バッグ１００では、２個の提げ具４が互いに異なる紐渡し区間において開閉紐３に係合されている。また、提げ具４は、紐通し穴２１を通過できない形状からなるため、紐通し穴２１を越えて移動せず、同じ紐渡し区間内に保持され、１本の提げ紐に２個の提げ具４が係合することがない。
【００２９】
ここでは、各提げ具４が互いに略対向して開閉紐３に係合しているため、これらの提げ具４が持ち運び時にバッグ１００の重心軸の近くに位置し、バッグ１００のバランスがとり易くなる。なお、提げ具４は、開閉紐３上で移動可能に係合されており、その位置の調節を行うことができる。
【００３０】
開閉具５は、開閉紐３上の２点を連結する部品であり、開閉紐３に対しスライド可能に取り付けられており、開閉具５上をスライドさせることにより、開閉紐３上の任意の２点を連結することができる。ここでは、開閉具５が２個の孔を有し、これらの孔に１本の開閉紐３の両端を挿通させることによって、開閉紐３の両端付近を連結してループ状にしている。なお、開閉具５は、紐通し穴２１を通過できない形状からなることが望ましい。
【００３１】
また、開閉具５は、鞄地１に向かう方向、及び、鞄地１から遠ざかる方向のいずれか一方へスライドすることができる。一方、開閉具５は、バッグ１００の持ち運び時には開閉紐３上をスライドしないことが望ましい。そこで、開閉具５は、開閉紐３に対し適度な摩擦を生じる形状又は素材からなる。なお、開閉具５が、スライド動作の停止及び停止解除を制御可能なストッパを備えていても良い。
【００３２】
開閉具止め６は、開閉具５が開閉紐３から脱落しないように開閉具５のスライド動作を規制している。ここでは、２個の開閉具止め６が、開閉紐３の両端付近に設けられている。
【００３３】
次に、本発明の実施の形態１によるバッグ１００の開閉動作を説明する。バッグ１００を閉じる動作は、開閉具５を鞄地１に向かう方向へスライドさせることによって行われ、バッグ１００を開く動作は、開閉具５を鞄地１から遠ざかる方向へスライドさせることによって行われる。
【００３４】
バッグ１００を閉じる動作は、ユーザが開閉具５の外側へ延びている開閉紐３を持ちながら、この開閉具５を鞄地１に向かう方向へスライドさせることによって行われる。このため、開閉具５と隣接している紐通し具２が内側へ押し込まれ、鞄地１の外縁に沿っている開閉紐３が短くなり、鞄地１の外縁が絞られるとともに、開閉具５から引き出された開閉紐３の両端部の長さが互いに略同一となった状態で、バッグ１００を閉じることができる。
【００３５】
このようなバッグ１００において、開閉具５の位置を調節することによって、提げ紐の長さを調節することができる。例えば、提げ具４が設けられている紐渡し区間の開閉紐３を鞄地１の外側へ引き出しながら開閉具５を内向きにスライドさせることにより、提げ紐を長く調節しながらバッグ１００を閉じることができる。
【００３６】
また、提げ具４が紐通し穴２１を通過できない形状からなり、開閉具５が、この提げ具４とは異なる紐渡し区間に紐通し具２を隔てて設けられているため、開閉具５を内向きにスライドさせる際、提げ具４が開閉具５の障害になることがない。
【００３７】
バッグ１００を開く動作は、例えば、鞄地１を把持しつつ、開閉具５を鞄地１から遠ざかる方向へスライドさせることによって行われる。このようにすれば、開閉具５の外側へ引き出されていた開閉紐３が鞄地１側へ移動し、鞄地１の外縁に沿っている開閉紐３が長くなるとともに、鞄地１の外縁が外側へと広がっていき、バッグ１００が開く。
【００３８】
本実施の形態によれば、紐通し穴２１に開閉紐３が挿通され、この開閉紐３上の任意の２点を連結させる開閉具５が、開閉紐３に対しスライド可能に取り付けられているため、この開閉具５を内向きにスライドさせることによってバッグ１００を閉じることができる。このようなバッグにおいて、開閉具５の位置を調節することによって提げ紐の長さを調節することができる。従って、バッグ１００を閉じる際に提げ紐の長さ調節も可能であり、便利である。さらに、開閉具５の外側に延びている開閉紐３を持ちながら、この開閉具５を内向きにスライドさせることにより、開閉具５から引き出された開閉紐３の両端部の長さが互いに略同一となった状態で、バッグ１００を閉じることができる。
【００３９】
また、紐通し穴２１を通過できない形状からなる２個の提げ具４が、互いに異なる紐渡し区間において開閉紐３に係合されている。このため、これらの提げ具４の間、及び、各提げ具４と開閉具５との間には紐通し穴２１がそれぞれ介在しており、これらの紐通し穴２１によって、提げ具４の位置が大きくずれるのを防止している。
【００４０】
さらに、提げ具４が紐通し穴２１を通過できない形状からなり、開閉具５が、この提げ具４とは異なる紐渡し区間に紐通し具２を隔てて設けられているため、開閉具５を内向きにスライドさせる際、提げ具４が開閉具５の障害になることがない。
【００４１】
また、鞄地１が展開可能であるため、バッグ１００が開いた状態において荷物を鞄地１の上に置いてバッグ１００を閉じれば、開口部の狭さに起因して荷物が収容できないということがなく、例えば、開いた状態のバッグ１００を敷物として用いることもできる。
【００４２】
なお、本実施の形態では、１２個の紐通し具２を有するバッグ１００の例について説明したが、本発明はこの様な場合のみに限定されない。すなわち、バッグ１００は、３個以上の紐通し具２、つまり、３個以上の紐通し穴２１を備えていれば良い。
【００４３】
実施の形態２．
実施の形態１では、１個の開閉具５を備え、開閉紐３が１本の通し紐からなるバッグ１００の例について説明した。これに対し、本実施の形態では、２個の開閉具５を備え、開閉紐３が２本の通し紐３１，３２からなるバッグ１０１の例について説明する。
【００４４】
図４は、本発明の実施の形態２によるバッグ１０１の一例を示した図であり、バッグ１０１が開いている状態が示されている。また、図５は、図４のバッグ１０１が閉じている状態を示した図である。図１のバッグ１００と比較すれば、バッグ１０１では、開閉紐３が２本の通し紐３１，３２からなり、２個の開閉具５を備えている点で異なる。
【００４５】
２本の通し紐３１，３２は、紐通し具３の紐通し穴２１に挿通され、互いに重複しないように鞄地１の外縁に沿って略半円弧状にそれぞれ配置され、２個の開閉具５によって互いに連結されている。２個の開閉具５は、鞄地１を介して略対向するように配置され、また、２個の提げ具４は、互いに略対向するように配置され、互いに異なる通し紐３１にそれぞれ係合している。
【００４６】
このような構成により、２個の開閉具５及び２個の提げ具４が、鞄地１の外縁に沿って交互に配置され、各提げ具４の両側には開閉具５が配置されている。このため、両方の開閉具５をスライドさせれば、各開閉具５から引き出された通し紐３１の長さを略同一にすることができる。従って、１個の開閉具５のみを有するバッグ１００に比べ、閉じた状態で開閉具５から引き出されている通し紐３１の長さを短くすることができる。
【００４７】
また、１個の開閉具５のみを有するバッグ１００の場合は、開閉具５をスライドさせると、通し紐３１と提げ具４との間の摩擦によって、この開閉具５の方向に提げ具４が引き寄せられ、提げ具４の位置が偏ってしまう。これに対し、本実施の形態では、提げ具４の両側に開閉具５が配置されているため、両方の開閉具５をスライドさせれば、提げ具４が一方の開閉具５の方向にのみ引き寄せられるのを防ぐことができ、提げ具４の偏りを防ぐことができる。従って、各提げ具４を通し紐３１に固定させることもできる。
【００４８】
本実施の形態によれば、２個の開閉具５及び２個の提げ具４が、鞄地１の外縁に沿って交互に配置されているため、各提げ具４の両側には開閉具５が配置されている。このため、両方の開閉具５をスライドさせれば、各開閉具５から引き出された通し紐３１の長さを略同一にすることができる。従って、１個の開閉具５のみを備えているバッグに比べ、閉じた状態で開閉具５から引き出されている通し紐３１の長さを短くすることができる。
【００４９】
また、提げ具４の両側に開閉具５が配置されているため、両方の開閉具５をスライドさせれば、提げ具４が一方の開閉具５の方向にのみ引き寄せられるのを防ぐことができ、提げ具４の偏りを防ぐことができる。従って、各提げ具４を通し紐３１に固定させることもできる。
【００５０】
なお、本実施の形態では、１２個の紐通し具２を有するバッグ１０１の例について説明したが、本発明はこの様な場合のみに限定されない。すなわち、バッグ１０１は、４個以上の紐通し具２、つまり、４個以上の紐通し穴２１を備えていれば良い。
【符号の説明】
【００５１】
１００，１０１  バッグ
１  鞄地
２  紐通し具
２１  紐通し穴
２２  固定具
３  開閉紐
３１，３２  通し紐
４  提げ具
５  開閉具
６  開閉具止め
【図１】
0005821074.tif 000002
【図２】
0005821074.tif 000003
【図３】
0005821074.tif 000004
【図４】
0005821074.tif 000005
【図５】
0005821074.tif 000006